(57)【特許請求の範囲】
【請求項１】
液晶層を挟持して対向配置された一対の基板を有し、前記一対の基板の一方には複数の画素領域が形成され、前記各画素領域には、複数のスリット状開口群を有する上電極と、前記上電極と絶縁層を介して前記基板側に形成された下電極と、前記液晶層側に形成された配向膜を備えた液晶表示パネルにおいて、
前記複数のスリット状開口群は、それぞれ複数の異なる方向に傾斜した複数スリットが連結された連結部を有し、
前記下電極には、前記連結部と平面視で重畳するように、前記下電極が存在しない領域が形成されていることを特徴とする液晶表示パネル。
【請求項２】
前記下電極が存在しない領域は平面視で複数の前記連結部を貫通するように形成されていることを特徴とする請求項１に記載の液晶表示パネル。
【請求項３】
前記下電極が存在しない領域は、複数の前記連結部において外角側から内角側に向かって先細に形成されており、前記連結部間の上電極の下では一定幅に形成されていることを特徴とする請求項２に記載の液晶表示パネル。
【請求項４】
前記複数のスリット状開口群はそれぞれ「く」字状のスリット状開口からなることを特徴とする請求項１〜３のいずれかに記載の液晶表示パネル。
【請求項５】
前記複数のスリット状開口群はそれぞれ前記一対の基板の一方に形成された信号線に沿って伸びており、前記信号線は前記スリット状開口群と平行となるようにジグザグ状に形成されていることを特徴とする請求項４に記載の液晶表示パネル。
【発明の詳細な説明】
【技術分野】
【０００１】
本発明は、横電界方式の液晶表示パネルに関する。更に詳しくは、本発明は、開口度が
大きくて明るく、しかも、面押し特性の良好なマルチドメインタイプのフリンジ・フィー
ルド・スィッチング（Fringe Field Switching：以下、「ＦＦＳ」という。）モードの液
晶表示パネルに関する。
【背景技術】
【０００２】
液晶表示パネルとしては、ＴＮ（Twisted Nematic）モード、ＶＡ（Vertical Alignmen
t）モード、ＭＶＡ（Multi-domain Vertical Alignment）モード等の縦電界方式のものが
多く使用されているが、一方の基板にのみ電極を備えた横電界方式の液晶表示パネルも知
られている、この横電界方式の液晶表示パネルにはＩＰＳ（In-Plane Switching）モード
のもの（下記特許文献１及び２参照）及びＦＦＳモードもの（下記特許文献３及び４参照
）が知られている。
【０００３】
これらの横電界方式の液晶表示パネルは、面内で液晶分子が水平回転するものであり、
広視野角特性を実現できるという利点がある。また、これらの横電界方式の液晶表示パネ
ルにおいては、それぞれの画素内で液晶分子の水平回転方向が異なるマルチドメインタイ
プのものも知られている。このマルチドメインタイプの横電界方式の液晶表示パネルは、
それぞれの画素内の電極に形成されるスリットの延在方向が複数方向となるようにし、そ
れぞれの画素内で液晶分子の水平回転方向が異なる複数の領域を形成するものである。こ
のようなマルチドメインタイプの横電界方式の液晶表示パネルによれば、液晶分子の水平
回転方向が異なる複数の領域の視野角特性が互いに補償し合うため、色味のない優れた視
野角特性を実現することができるようになる。
【特許文献１】特開平１０−３１９３７１号公報
【特許文献２】特開２００２−１３１７６７号公報
【特許文献３】特開２００２−  １４３６３号公報
【特許文献４】特開２００２−２４４１５８号公報
【発明の開示】
【発明が解決しようとする課題】
【０００４】
ところで、マルチドメイン方式のＦＦＳモードの液晶表示パネルでは、スリットの延在
方向が異なる複数の領域が形成されているが、この複数の領域間でスリットを繋げること
により複数の領域の境界部でも開口を稼ぐことができるので、明るい表示が可能となる。
しかしながら、複数の領域間でスリットを繋げると、このスリットの連結部において液晶
分子の配向方向が異なる領域の境界部、すなわち、ディスクリネーション部が生成する。
このディスクリネーション部は、異常配向部であり、正常な画像表示ができない。そこで
、従来のマルチドメイン方式の液晶表示パネルにおいては、平面視でスリットの連結部と
重畳する位置に遮光部材を配置していたため、この遮光部材の存在によって開口率が低下
していた。加えて、複数の領域間でスリットを繋げると、面押し試験などを行ったときに
それぞれの領域間でディスクリネーション部が互いに行き来し、そのままディスクリネー
ション部が一方側に残存してしまうという問題点も存在していた。
【０００５】
本発明は、従来例のマルチドメインタイプのＦＦＳモードの液晶表示パネルの問題点を
解決すべくなされたものである。すなわち、本発明は、開口度が大きくて明るく、しかも
、面押し特性の良好なＦＦＳモードの液晶表示パネルを提供することを目的とする。
【課題を解決するための手段】
【０００６】
上記目的を達成するため、本発明の液晶表示パネルは、液晶層を挟持して対向配置された一対の基板を有し、一対の基板の一方には複数の画素領域が形成され、各画素領域には、複数のスリット状開口群を有する上電極と、上電極と絶縁層を介して基板側に形成された下電極と、液晶層側に形成された配向膜を備えた液晶表示パネルにおいて、複数のスリット状開口群は、それぞれ複数の異なる方向に傾斜した複数スリットが連結された連結部を有し、下電極には、連結部と平面視で重畳するように、下電極が存在しない領域が形成されていることを特徴とする。
【０００７】
本発明の液晶表示パネルは、液晶層を挟持して対向配置された一対の基板を有し、一対の基板の一方には複数の画素領域が形成され、各画素領域には、複数のスリット状開口群を有する上電極と、上電極と絶縁層を介して基板側に形成された下電極と、液晶層側に形成された配向膜を備えている。係る構成によって本発明の液晶表示パネルはＦＦＳモードで作動するものとなる。しかも、本発明の液晶表示パネルにおいては、複数のスリット状開口群はそれぞれ複数の異なる方向に傾斜した複数スリットが連結された連結部を有している。係る構成によって、本発明の液晶表示パネルはマルチドメイン方式の液晶表示パネルとなり、複数の領域の視野角特性が互いに補償しあうため、色味のない優れた視野角特性の液晶表示パネルが得られる。
【０００８】
加えて、本発明の液晶表示パネルでは、下電極には、連結部と平面視で重畳するように、下電極が存在しない領域が形成されている。下電極が存在しない領域では、上電極と下電極との間に駆動電圧が印加されても液晶分子に印加される電界は非常に弱くなるので、液晶分子はほとんど駆動されずに配向膜によって配向方向が規制されている状態となり、実質的にバックライト装置からの光を透過しない。一方、下電極が形成されている領域では、上電極と下電極との間に駆動電圧が印加されると、最初の配向方向から連結部の両側で異なる方向に、横方向に回転してバックライト装置からの光を透過するようになる。
【０００９】
しかしながら、マルチドメイン方式の液晶表示パネルは、連結部において液晶分子の配
向方向が異なる領域の境界部、すなわち、ディスクリネーション部が生成する。そのため
、従来例のマルチドメイン方式の液晶表示パネルにおいては、平面視で連結部と重畳する
位置に遮光部材を配置していた。しかしながら、本発明の液晶表示パネルによれば、下電
極が存在しない領域ではバックライト装置空の光は透過しないので、特に遮光部材を設け
なくてもディスクリネーション部は外部から視認されることが少なくなる。
【００１０】
加えて、本発明の液晶表示パネルによれば、下電極が存在しない領域では電界が弱いた
め、液晶表示パネルの押し試験等を行った場合においても、ディスクリネーション部が連
結部から移動しないので、良好な面押し特性が得られる。従って、本発明の液晶表示装置
によれば、開口度が大きくて明るく、しかも、面押し特性の良好なＦＦＳモードの液晶表
示パネルが得られる。
【００１１】
また、本発明の液晶表示装置においては、下電極が存在しない領域は平面視で複数の連結部を貫通するように形成されていることが好ましい。
【００１２】
それぞれの連結部間には上電極が存在しているため、それぞれの連結部間の下電極に形
成された下電極が存在しない領域はあまり表示画質に影響しない。しかしながら、上電極
にスリット状の開口群を形成するにはフォトリソグラフィー法によるが、スリット状の開
口群の連結部を正確に下電極が存在しない領域上に位置するように形成するには、マスク
ずれに対する許容度を考慮する必要がある。しかしながら、係る態様の液晶表示パネルに
よれば、下電極が存在しない領域が大きくなるので、マスクずれに対する許容度が大きく
なり、上電極にスリット状開口群を形成するのが容易となる。
【００１３】
また、本発明の液晶表示装置においては、下電極が存在しない領域は、複数の連結部において外角側から内角側に向かって先細に形成されており、連結部間の上電極の下部では一定幅に形成されていることが好ましい。
【００１４】
ディスクリネーション部は連結部の外角側（１８０°を超える領域）で広く発生し、内
角側（１８０°未満の領域）では狭くなる。下電極が存在しない領域を上電極の連結部に
対応する位置において外角側から内角側に向かって先細に形成すると、ディクリネーショ
ン部のみ電界が弱くなり、その他の部分では有効に電界が印加されるようにできる。その
ため、係る態様の液晶表示パネルによれば、ディクリネーション部以外の液晶分子の回転
を阻害することがなくなるので、明るい表示が得られ、しかも、ディクリネーション部の
移動も抑制することができるようになる。
【００１５】
また、本発明の液晶表示パネルにおいては、複数のスリット状開口群はそれぞれ「く」字状のスリット状開口からなることが好ましい。
【００１６】
「く」字状のスリットは、マルチドメイン型の液晶表示パネルにおいて従来から良好な
表示特性が得られるものとして広く採用されている形状である。そのため、係る態様の液
晶表示パネルによれば、上記本発明の効果を奏しながらも更に良好な表示特性を奏する液
晶表示パネルが得られる。なお、「く」字状スリットは、信号線に沿って伸びているよう
に形成されていても、走査線に沿って伸びているように形成されていてもよい。
【００１７】
また、本発明の液晶表示パネルにおいては、複数のスリット状開口群はそれぞれ「く」字状のスリット状開口からなる場合、複数のスリット状開口群はそれぞれ一対の基板の一方に形成された信号線に沿って伸びており、信号線はスリット状開口群と平行となるようにジグザグ状に形成されていることが好ましい。
【００１８】
複数のスリット状開口群がそれぞれ「く」字状のスリット状開口からなる場合、信号線が直線状であると、信号線とスリット状開口群の間の上電極には幅が広い部分と狭い部分とが存在するようになる。ＦＦＳモードの液晶表示パネルにおいては、上電極上及びスリット状開口群の両者で発光（バックライト光源からの光を透過）するため、上電極の幅とスリット状開口群の幅がほぼ等しい方が良好な表示画質が得られる。そのため、本発明の液晶表示パネルによれば、信号線とスリット状開口群との間の画素電極の幅をスリット状開口群の幅に合わせてほぼ一定となるようにすることができるため、表示画質が良好な液晶表示パネルが得られる。
【発明を実施するための最良の形態】
【００２３】
以下、図面を参照して本発明の最良の実施形態を説明する。但し、以下に示す実施形態
は、本発明の技術思想を具体化するための液晶表示パネルを例示するものであって、本発
明をこの液晶表示パネルに特定することを意図するものではなく特許請求の範囲に含まれ
るその他の実施形態のものにも等しく適応し得るものである。また、この明細書における
説明のために用いられた各図面においては、各層や各部材を図面上で認識可能な程度の大
きさとするため、各層や各部材毎に縮尺を異ならせて表示しており、必ずしも実際の寸法
に比例して表示されているものではない。
【００２４】
図１は第１の実施形態に係る液晶表示パネルのカラーフィルタ基板を透視して表した１
画素分の概略平面図である。図２は図１のII−II線に沿った断面図である。図３は図１の
III−III線に沿った断面図である。図４は第２の実施形態に係る液晶表示パネルのカラー
フィルタ基板を透視して表した１画素分の概略平面図である。図５は図４のＶ−Ｖ線に沿
った断面図である。図６は図４のVI−VI線に沿った断面図である。図７は第３の実施形態
に係る液晶表示パネルのカラーフィルタ基板を透視して表した１画素分の概略平面図であ
る。図８は図７のVIII−VIII線に沿った断面図である。図９は図７のIX−IX線に沿った断
面図である。
【００２５】
［第１の実施形態］
この第１の実施形態の液晶表示パネル１０Ａは、アレイ基板ＡＲと、カラーフィルタ基
板ＣＦとを備えている。アレイ基板ＡＲは、ガラス基板等の第１の透明基板１１の表示領
域の表面には、マトリクス状に複数の走査線１２及び信号線１３が互いにゲート絶縁膜１
４で絶縁された状態で交差するように形成されており、更に、表示領域の周縁部にはコモ
ン配線（図示省略）が形成されている。これらの走査線１２及び信号線１３で囲まれたそ
れぞれの領域が各画素（「サブ画素」ともいう）領域を形成する。なお、第１の実施形態
の液晶表示パネルにおける信号線１３の形状については後述する。また、第１の透明基板
１１には画素領域毎にスイッチング素子として例えばＴＦＴが形成されており、このＴＦ
Ｔを含む第１の透明基板１１の表面全体に亘って例えば窒化ケイ素層ないし酸化ケイ素層
からなるパッシベーション膜１５で被覆されている。
【００２６】
そして、パッシベーション膜１５の表面には有機材料からなる平坦化膜１６が形成され
ており、この平坦化膜１６及びパッシベーション膜１５にはＴＦＴのドレイン電極Ｄに対
応する位置にコンタクトホール１７が形成されている。そして、平坦化膜１６の表面には
、それぞれの画素領域にＩＴＯないしＩＺＯ等の透明導電性材料からなる下電極１８がベ
タ状に形成されている。この下電極１８は、コンタクトホール１７及びＴＦＴが形成され
ている領域を避けて、表示領域の周縁部で図示しないコモン配線に電気的に接続されてい
る。従って、第１の実施形態の液晶表示パネル１０Ａでは、下電極１８は対向電極として
機能する。
【００２７】
そして、この下電極１８には、以下に述べる上電極２１の複数の方向に伸びるスリット
状開口群２０の連結部２３と平面視で重畳する部分に下電極１８が存在しない領域２２が
形成されている。この下電極１８が存在しない領域２２の詳細については後述する。更に
、下電極１８が形成された第１の透明基板１１の表面全体に亘って窒化ケイ素層ないし酸
化ケイ素層からなる絶縁膜１９が形成されている。この絶縁膜１９の表面には、それぞれ
の画素領域内で、互いに平行に伸びる複数のスリット状開口群２０を有する上電極２１が
形成されており、この上電極２１はコンタクトホール１７を経てＴＦＴのドレイン電極Ｄ
に電気的に接続されている。従って、第１の実施形態の液晶表示パネル１０Ａでは、上電
極２１は画素電極として機能する。この上電極２１はＩＴＯないしＩＺＯ等の透明導電性
材料で形成される。なお、下電極１８及び上電極２１のうち、どちらをＴＦＴのドレイン
電極Ｄと接続するか及びどちらをコモン配線と接続するかは任意である。
【００２８】
また、カラーフィルタ基板ＣＦは、図２及び図３に示したように、ガラス基板等の第２
の透明基板２５の表面に、アレイ基板ＡＲの走査線１２、信号線１３、コンタクトホール
１７及びＴＦＴに対応する位置を被覆するように遮光膜２６が形成されている。更に、遮
光膜２６で囲まれた第２の透明基板２５の表面には、所定の色のカラーフィルタ層２７が
形成されている。また、遮光膜２６及びカラーフィルタ層２７の表面を被覆するようにオ
ーバーコート層２８が形成されている。そして、オーバーコート層２８の表面には第２の
配向膜２９が形成されている。このカラーフィルタ基板ＣＦの配向膜とアレイ基板ＡＲの
配向膜のラビング方向は、平面視で同一方向であるが、上電極２１に形成されるスリット
状開口群２０に対して５°〜１０°程度傾いているようになされる。
【００２９】
そして、アレイ基板ＡＲの下電極１８及び第２電極２２とカラーフィルタ基板ＣＦのカ
ラーフィルタ層２６とが互いに対向するように、アレイ基板ＡＲとカラーフィルタ基板Ｃ
Ｆが対向され、その間に液晶３０が封入されている。更に、アレイ基板ＡＲの外側に第１
の偏光板３１及びバックライト装置（図示省略）が配置され、カラーフィルタ基板ＣＦの
外側に第２の偏光板３２が配置されて第１の実施形態の液晶表示パネル１０Ａが完成され
る。
【００３０】
ここで、この第１の実施形態の液晶表示パネル１０Ａの上電極２１に形成されたスリッ
ト状開口群２０及び下電極１８に形成された下電極１８が存在しない領域２２の形状と、
信号線１３の形状についてについて説明する。上電極２１には、例えば「く」字状のスリ
ット状開口群２０が形成されている。この「く」字状のスリット状開口群２０は、図１に
おいて、中央部から右上方向に延在するスリットと中央部から右下方向に延在するスリッ
トとが連結された部分である連結部２３を備えている。なお、「く」字状のスリット状開
口群２０は、マルチドメイン型の液晶表示パネルにおいて従来から良好な表示特性が得ら
れるものとして広く採用されている形状である。
【００３１】
これらの複数のスリット状開口群２０はそれぞれ信号線１３に沿って伸びており、また
、信号線１３はスリット状開口群２０と平行となるようにジグザグ状に形成されている。
複数のスリット状開口群２０がそれぞれ「く」字状のスリット状開口からなる場合、信号
線１３が直線状であると、信号線１３とスリット状開口群２０の間の上電極２１には幅が
広い部分と狭い部分とが存在するようになる。ＦＦＳモードの液晶表示パネルにおいては
、上電極２１上及びスリット状開口群２０の両者で発光するため、上電極２１の幅とスリ
ット状開口群２０の幅がほぼ等しい方が良好な表示画質が得られる。そのため、第１の実
施形態の液晶表示パネル１０Ａにおいては、信号線１３をジグザグ状とすることより、信
号線１３とスリット状開口群２０との間の上電極２１の幅をスリット状開口群２０の幅に
合わせてほぼ一定となるようにすることができるようになる。
【００３２】
この連結部２３では、図１における上方向と下方向とでは液晶分子の水平配向方向は互
いに逆方向となるので、液晶配向ドメインの境界部、すなわちディスクリネーション部が
形成される。そのため、従来例のマルチドメイン方式の液晶表示パネルにおいては、平面
視で連結部２３と重畳する位置に遮光部材を配置していた。それに対し、第１の実施形態
の液晶表示パネル１０Ａでは、上電極２１のスリット状開口群２０の連結部２３と平面視
で重畳する部分の下電極１８に下電極１８が存在しない領域２２を形成している。この下
電極１８が存在しない領域２２は、平面視で複数の連結部２３間を貫通するように一定幅
で形成されている。
【００３３】
複数の連結部２３間には上電極２１が存在しているため、それぞれの連結部２２間の下
電極１８に形成された下電極１８が存在しない領域２２はあまり表示画質に影響しない。
しかしながら、上電極２１にスリット状開口群２０を形成するにはフォトリソグラフィー
法によるが、スリット状開口群２０の連結部２３を正確に下電極１８が存在しない領域２
２上に位置するように形成するには、マスクずれに対する許容度を考慮する必要がある。
この第１の実施形態の液晶表示パネル１０Ａでは、下電極１８が存在しない領域２２が大
きいので、マスクずれに対する許容度が大きくなり、上電極２１にスリット状開口群２０
を形成するのが容易となる。
【００３４】
また、下電極１８が存在しない領域２２が形成されている部分では、上電極２１と下電
極１８との間に駆動電圧が印加されても液晶分子に印加される電界は非常に弱くなる。そ
のため、この下電極１８が存在しない領域２２では、液晶分子３０ａは第１の配向膜２４
によって配向方向が規制されている状態となり、実質的にバックライト装置からの光を透
過しなくなる。一方、下電極１８が形成されている領域では、上電極２１と下電極１８と
の間に駆動電圧が印加されると、液晶分子は最初の配向方向から水平方向に回転してバッ
クライト装置からの光を透過するので、正常な画像表示が可能となる。
【００３５】
従って、第１の実施形態の液晶表示パネル１０Ａによれば、上電極２１と下電極１８と
の間に駆動電圧が印加されたとき、下電極１８に下電極１８が存在しない領域２２が形成
されている領域では実質的にバックライト装置からの光を透過しない。そのため、特に遮
光部材を設けなくてもディスクリネーション部は外部から視認されることがなくなる。し
かも、下電極１８が存在しない領域２２が形成された部分では電界が弱いため、液晶表示
パネルの面押し試験等を行った場合においても、ディスクリネーション部が連結部２３か
ら移動しないので、良好な面押し特性が得られる。従って、第１の実施形態の液晶表示パ
ネル１０Ａによれば、開口度が大きくて明るく、しかも、面押し特性が良好なＦＦＳモー
ドの液晶表示パネル１０Ａが得られる。
【００３６】
なお、第１の実施形態では、上電極２１に形成される「く」字状のスリット状開口２０
が信号線１３に沿うようにして形成された例を示したが、走査線１２に沿って形成されて
いるようにしてもよい。
【００３７】
［第２の実施形態］
次に、第２の実施形態の液晶表示パネル１０Ｂを図４〜図６を用いて説明する。なお、
図４〜図６においては、図１〜図３に示した第１の実施形態の液晶表示パネル１０Ａと同
一の構成部分には同一の参照符号を付与してその詳細な説明は省略する。
【００３８】
第２の実施形態の液晶表示パネル１０Ｂが第１の実施形態の液晶表示パネル１０Ａと構
成が相違する点は、
（１）上電極２１に形成される複数のスリット状開口群２０が縦方向スリットと斜め方向
スリットの組合せからなるものとした点、及び、
（２）信号線１３をジグザグ状の形状とせずに、直線状となるように形成した点、
である。
【００３９】
すなわち、第２の実施形態の液晶表示パネル１０Ｂは、上電極２１として信号線１３に
沿って伸びる複数のスリット状開口２０を備えている。このスリット状開口２０は、信号
線１３に沿って平行な直線状スリット部分２０ａと信号線１３に対して傾いている斜め方
向スリット部分２０ｂとからなり、両者の中間に連結部２３が形成されている。また、第
２の実施形態の液晶表示パネル１０Ｂにおいては、信号線１３に隣接するスリット状開口
群２０との間に幅が広い部分が生じるため、この部分に２本の直線状部分のみからなる短
い直線状スリット２０ｃが形成されている。この直線状スリット２０ｃ部には、上電極２
１の幅が一定になるようにするため、部分的に傾斜面が形成されている。そして、この上
電極２１の下部には絶縁膜１９を介して下電極１８が形成されており、この下電極１８に
は上電極２１に形成されたスリット状開口２０の連結部２３を平面視で貫通するように下
電極１８が存在しない領域２２が形成されている。
【００４０】
この第２の実施形態の液晶表示パネル１０Ｂは信号線が直線状であるために製造が容易
となる。また、第２の実施形態の液晶表示パネル１０Ｂにおける上電極２１に形成した複
数のスリット状開口群２０及び下電極１８に形成したスリット状開口２２による作用効果
は、上述の第１の実施形態の液晶表示パネル１０Ａの場合と同様である。なお、第２の実
施形態では、上電極２１に形成されるスリット状開口２０が信号線１３に沿って形成され
ているようになした例を示したが、走査線１２に沿って形成されているようにしてもよい
。
【００４１】
［第３の実施形態］
次に、第３の実施形態の液晶表示パネル１０Ｃを図７〜図９を用いて説明する。なお、
図７〜図９においては、図１〜図３に示した第１の実施形態の液晶表示パネル１０Ａと同
一の構成部分には同一の参照符号を付与してその詳細な説明は省略する。
【００４２】
第３の実施形態の液晶表示パネル１０Ｃが第１の実施形態の液晶表示パネル１０Ａと構
成が相違する点は、下電極１８に形成するスリット状開口２２の形状を、複数の連結部２
３において外角側から内角側に向かって先細に形成されており、連結部２３間の上電極２
１の下部では一定幅に形成した点である。
【００４３】
ディスクリネーション部は連結部２３の外角側で広く発生し、内角側では狭くなる。ま
た、それぞれの連結部２３間には上電極２１が存在しているため、それぞれの連結２３部
間の下電極１８に形成された下電極１８が存在しない領域２２はあまり表示画質に影響し
ない。下電極１８が存在しない領域２２を上電極２１の連結部２３に対応する位置におい
て外角側から内角側に向かって先細に形成すると、ディクリネーション部のみ電界が弱く
なり、その他の部分では有効に電界が印加されるようになる。そのため、第３の実施形態
の液晶表示パネル１０Ｃによれば、第１の実施形態の液晶表示装置１０Ａと同様の作用効
果を奏するほか、ディクリネーション部以外の液晶分子の回転を阻害することがなくなる
ので、より明るい表示が得られ、しかも、ディクリネーション部の移動も抑制することが
できるようになる。
【００４４】
なお、上記第１〜第３の実施形態では、下電極１８を平坦化膜１６の表面に形成した例
を示したが、この平坦化膜は必ずしも必要な構成ではなく、第１の透明基板１１の表面に
直接下電極１８を形成してもよい。しかしながら、画素毎に平坦化膜が形成されていると
、平坦化膜の表面に形成される各電極は、例えばスイッチング素子等の存在による凹凸が
均されて平らになるため、セルギャップが均一化されるので、表示画質が良好な液晶表示
パネルが得られる。
【図面の簡単な説明】
【００４５】
【図１】第１の実施形態に係る液晶表示パネルのカラーフィルタ基板を透視して表した１画素分の概略平面図である。
【図２】図１のII−II線に沿った断面図である。
【図３】図１のIII−III線に沿った断面図である。
【図４】第２の実施形態に係る液晶表示パネルのカラーフィルタ基板を透視して表した１画素分の概略平面図である。
【図５】図４のＶ−Ｖ線に沿った断面図である。
【図６】図４のVI−VI線に沿った断面図である。
【図７】第３の実施形態に係る液晶表示パネルのカラーフィルタ基板を透視して表した１画素分の概略平面図である。
【図８】図７のVIII−VIII線に沿った断面図である。
【図９】図７のIX−IX線に沿った断面図である
【符号の説明】
【００４６】
１０Ａ〜１０Ｃ：液晶表示パネル  １１：第１の透明基板  １２：走査線  １３：信号線
１４：ゲート絶縁膜  １５：パッシベーション膜  １６：平坦化膜  １７：コンタクト
ホール  １８：下電極  １９：絶縁膜  ２０：スリット状開口群  ２０ａ：（スリット状
開口群の）直線状スリット部分  ２０ｂ：（スリット状開口群の）斜め方向スリット部分
２０ｃ：直線状スリット  ２１：上電極  ２２：開口部  ２３：連結部  ２４：第１の
配向膜  ２５：第２の透明基板  ２６：遮光膜  ２７：カラーフィルタ層  ２８：オーバ
ーコート層  ２９：第２の配向膜  ３０：液晶  ３０ａ：液晶分子  ３１：第１の偏光板
３２：第２の偏光板
【図１】
0005132341.tif 000002
【図２】
0005132341.tif 000003
【図３】
0005132341.tif 000004
【図４】
0005132341.tif 000005
【図５】
0005132341.tif 000006
【図６】
0005132341.tif 000007
【図７】
0005132341.tif 000008
【図８】
0005132341.tif 000009
【図９】
0005132341.tif 000010